(57)【要約】      （修正有）【課題】携帯に便利なようにコンパクトに収容可能であって且つ丈夫な携帯用コップを提供すること。【解決手段】大径端部及び小径端部を有する錐台の側面形状を有する第１環状帯体２１−１と、環状帯体の外側面に対向する内側面を有して第１環状帯体の側面を包囲する第２環状帯体２１−２と、第１環状帯体の小径端部を閉塞する下皿１０と、下皿と組み合わせられて閉空間を画定する蓋体１１と、を含む。ここで、第２環状帯体は、第１環状帯体の大径端部の外環径よりも、大なる内環径及び小なる小径端部の内環径を有し、第１環状帯体とともに閉空間に収容され得ることを特徴とする。【選択図】図４
0003158692.tif 000002
【実用新案登録請求の範囲】
【請求項１】
大径端部及び小径端部を有する錐台の側面形状を有する第１環状帯体と、
前記環状帯体の外側面に対向する内側面を有して前記第１環状帯体の側面を包囲する第２環状帯体と、
前記第１環状帯体の小径端部を閉塞する下皿と、
前記下皿と組み合わせられて閉空間を画定する蓋体と、を有し、
前記第２環状帯体は、前記第１環状帯体の前記大径端部の外環径よりも、大なる内環径の大径端部及び小なる内環径の小径端部を有し、前記第１環状帯体とともに前記閉空間に収容され得ることを特徴とする携帯用コップ。
【請求項２】
６以下の所定数の整数であって、前記所定数の整数までの各整数ｋにおいて
第ｋ環状帯体の外側面に対向する内側面を有して前記第ｋ環状帯体の側面を包囲する第ｋ＋１環状帯体と、
前記第ｋ＋１環状帯体は、前記第ｋ環状帯体の前記大径端部の外環径よりも、大なる内環径の大径端部及び小なる内環径の小径端部を有し、前記第ｋ環状帯体とともに前記閉空間に収容され得ることを特徴とする請求項１記載の携帯用コップ。
【請求項３】
前記蓋体には、前記閉空間の湿度を除去し及び／又は芳香を与え及び／又は衛生を維持するよう薬剤を与える室部が前記第１環状帯体を前記閉空間へ収容するときに前記第１環状帯体内部に突出し得るように形成されていることを特徴とする請求項１又は２に記載の携帯用コップ。
【請求項４】
前記下皿及び／又は前記蓋体には前記閉空間の湿度を除去するための貫通孔を設けられていることを特徴とする請求項１乃至３のうちの１つに記載の携帯用コップ。
【請求項５】
前記錐台は、円錐であることを特徴とする請求項１乃至４のうちの１つに記載の携帯用コップ。
【請求項６】
前記錐台は、三角錐、四角錐又は五角錐のいずれかであることを特徴とする請求項１乃至４のうちの１つに記載の携帯用コップ。
【考案の詳細な説明】
【技術分野】
【０００１】
本考案は、うがいなどに使用される小容量の携帯用コップに関し、特に携帯に便利なようにコンパクトに収容可能であって且つ丈夫な携帯用コップに関する。
【背景技術】
【０００２】
飲食時に使用されるグラスコップや湯飲みなどは、概ね２００ｍｌ程度の容量を有している。一方、食後に口を濯いだり、薬を飲んだり、またうがいをしたりするとき、一口で口に含まれる水の容量はせいぜい５０ｍｌ以下であり、このような用途に適したコップとして比較的小容量の小型のコップもある。かかるコップは、飲食時に使用されるコップなどと異なり外出先で提供されることは少なく、更に、近年のインフルエンザの流行などもあって口内衛生意識の高まりを背景に常に携帯していたい、との要望が高い。これに対して、使い捨ての折り畳み紙コップを携帯することも出来得るが、頻繁に使用するには環境意識の高まりから拒否反応も高い。そこで携帯に便利なようにコンパクトに収容可能な携帯用コップが望まれている。
【０００３】
例えば、特許文献１には、不使用時にはコンパクトにしてポケットや小物入れ等に収納することを可能にし、使い捨てせずに省資源及び環境破壊防止を図ることを可能にするとともに、薬や香料等を収納することも可能にする携帯用コップが開示されている。支持部材とフイルムから成る伸縮可能な蛇腹構造の中空筒部の下端に底部材を固着し、中空筒部の上端に嵌着される蓋部材と底部材とに掛止部を設け、収納時には中空筒部を圧縮して蓋部材と底部材とを掛止させている。更に、蓋部材には、薬や香料等を収納するための開閉可能な凹部を設けている。
【０００４】
一方、特許文献２には、複数の帯状部と、各帯状部の間に設けられた複数の折畳部により伸縮可能に形成されたほぼ逆円錐台形のコップが開示されている。上段の帯状部をその内径がその１つ下の段の帯状部の外径よりやや大きくなるように形成し、上段の帯状部の内側に他の帯状部を納置可能としている。故に、収容時にあっては、帯状部の中に順次、帯状部を納置し、コンパクトに収容できるのである。
【先行技術文献】
【特許文献】
【０００５】
【特許文献１】特開平５−１０５号公報
【特許文献２】登録実用新案３０５４４５９号公報
【考案の概要】
【考案が解決しようとする課題】
【０００６】
例えば、特許文献１及び２に開示の携帯用コップのように、折畳部の如き折り曲げなどの変形を与えられ得る部材を含む場合、素材の選定の幅が狭まってしまう。また、携帯用コップでは、使用頻度が高く、かかる部材において割れなどが生じやすく、劣化が早いといった問題もある。
【０００７】
本考案は、かかる事情に鑑みてなされたものであって、その目的とするところは、携帯に便利なようにコンパクトに収容可能であって且つ丈夫な携帯用コップを提供することにある。
【課題を解決するための手段】
【０００８】
本考案は、大径端部及び小径端部を有する錐台の側面形状を有する第１環状帯体と、前記環状帯体の外側面に対向する内側面を有して前記第１環状帯体の側面を包囲する第２環状帯体と、前記第１環状帯体の小径端部を閉塞する下皿と、前記下皿と組み合わせられて閉空間を画定する蓋体と、を有し、前記第２環状帯体は、前記第１環状帯体の前記大径端部の外環径よりも、大なる内環径及び小なる小径端部の内環径を有し、前記第１環状帯体とともに前記閉空間に収容され得ることを特徴とする。
【０００９】
本考案によれば、収容時、第２環状帯体は、その大径端部及び小径端部を、それぞれ第１環状帯体の大径端部及び小径端部近傍に近接させている。この状態で第１環状帯体及び第２環状帯体は下皿及び蓋体を組み合わせて画定される閉空間に収容され、携帯に便利なようにコンパクトに収容可能である。一方、蓋体を下皿から取り外して、第２環状帯体の小径端部を第１環状帯体の大径端部に近接せしめようとすると、第２環状帯体の小径端部の内環径は、第１環状帯体の大径端部の外環径よりも小さいから、第２環状帯体の小径端部が第１環状帯体の外側面に当接し、第２環状帯体と第１環状帯体が締結される。これにより、下皿、第１環状帯体及び第２環状帯体の画定する空間に、例えば水などの液体を入れることが出来るのである。すなわち、収容時、コンパクトでありながら一定容量以上の液体を入れることができ携帯に便利であって、しかも折り曲げなどの変形を部材に与えないから丈夫なのである。
【００１０】
上記考案において、６以下の所定数の整数であって、前記所定数の整数までの各整数ｋにおいて、第ｋ環状帯体の外側面に対向する内側面を有して前記第ｋ環状帯体の側面を包囲する第ｋ＋１環状帯体と、前記第ｋ＋１環状帯体は、前記第ｋ環状帯体の前記大径端部の外環径よりも、大なる大径端部の内環径及び小なる小径端部の内環径を有し、前記第ｋ環状帯体とともに前記閉空間に収容され得ることを特徴としてもよい。
【００１１】
上記考案によれば、下皿、第１環状帯体及び第２環状帯体の画定する空間に加え、収容時の全容積を増やすことなく、第３から所定数の整数個の環状帯体までの画定する空間に液体を入れることが出来るのである。すなわち、収容時、コンパクトでありながら更に大なる容量の液体を入れることができるのである。
【００１２】
更に、上記考案において、前記蓋体には、前記閉空間の湿度を除去し及び／又は芳香を与え及び／又は衛生を維持するよう薬剤を与える室部が前記第１環状帯体を前記閉空間へ収容するときに前記第１環状帯体内部に突出し得るように形成されていることを特徴としてもよい。
【００１３】
上記考案によれば、収容時の閉空間の湿度を除去し及び／又は芳香を与え及び／又は衛生を維持する薬剤を与えても、収容時の全容積を増やすことがないのである。
【００１４】
更に、上記考案において、前記下皿及び／又は前記蓋体には前記閉空間の湿度を除去するための貫通孔を設けられていることを特徴としてもよい。
【００１５】
上記考案によれば、収容時の閉空間の湿度を収容時の全容積を増やすことなく簡便に調整できるのである。
【００１６】
更に、上記考案において、前記錐台は、円錐であることを特徴としてもよい。
【００１７】
上記考案によれば、環状帯体端部に角部が無く、均一に環状帯体同士を確実に締結できて、液体の漏れを防止できる。
【００１８】
更に、上記考案において、前記錐台は、三角錐、四角錐又は五角錐のいずれかであることを特徴としてもよい。
【００１９】
上記考案によれば、コップの使用時に液体を角部に沿って使用者の口に運ぶことが出来るから、使用に便利なのである。
【図面の簡単な説明】
【００２０】
【図１】本考案による携帯用コップの斜視図である。
【図２】本考案による携帯用コップの要部の斜視図である。
【図３】本考案による携帯用コップの斜視図である。
【図４】本考案による携帯用コップの断面図である。
【図５】本考案による携帯用コップの斜視図である。
【図６】本考案による携帯用コップの要部の斜視図である。
【図７】本考案による他の携帯用コップの斜視図である。
【図８】本考案による他の携帯用コップの斜視図である。
【考案を実施するための形態】
【００２１】
本考案の１つの実施例による携帯用コップについて、図１乃至６を用いて詳細を説明する。
【００２２】
特に、図１を参照すると、携帯用コップ１の主要部は、空洞の内部空間１ａを有する三角錐、四角錐又は五角錐などの一部である錐台、ここでは四角錐Ｚの一部である錐台である。すなわち、四角錐Ｚの底面（大径端部）と平行に頂部Ｐ近傍を切断した頂面（小径端部）を含む四角錐台について、これを逆さにした形状である。小径端部である底部１ｂにはこれを閉塞するようにして下皿１０が取り付けられ、開口した大径端部である上部１ｃを介して、内部空間１ａに液体を収容できる。
【００２３】
下皿１０は、正方形の端部に沿って折り返し１０ａを与えた皿状体である。下皿１０は、可撓性を有する樹脂からなり、例えば、ＰＰ樹脂である。以下、特に断りのない限り、全ての部材は、これと同一の素材からなる。後述するように、下皿１０には、別体である蓋体１１が折り返し１０ａを包囲するようにして、図示しない嵌め込み機構によって組み合わせ可能である（図４（ｂ）及び図５参照）。
【００２４】
図２（ａ）を併せて参照すると、環状帯体２１−ｘ（ｘ＝１，２，３…、ここではｘは４までの整数。好ましくは、Ｘは６以下の整数である。）は、四角錐Ｚの一部を切り取った四角錐台の側面から形成される環状の帯体である。大径端部２２−ｘ及び小径端部２３−ｘはいずれも正方形の開口端である。大径端部２２−ｘは、一辺Ｘｃｍの正方形の内環径（内径）と、一辺（Ｘ＋２α）ｃｍの正方形の外環径（外径）とを有する。つまり、αｃｍは、第１環状帯体２１の厚さである。同様に、図２（ｂ）を参照すると、小径端部２３−ｘは、一辺Ｘ’ｃｍの正方形の内環径（内径）と、一辺（Ｘ’＋２α）ｃｍの正方形の外環径（外径）とを有する。
【００２５】
詳細には、第１環状帯体２１−１は、その下端部である小径端部２３−１を下皿１０の内部中央に固定されている。これにより第１環状帯体２１−１の小径端部２３−１は閉塞されている。その上端部である大径端部２２−１は、一辺Ｘ１ｃｍの正方形の内環径（内径）、一辺（Ｘ１＋２α）ｃｍの正方形の外環径（外径）を有する。一方、小径端部２３−１は、一辺Ｘ１’ｃｍ（Ｘ１’＜Ｘ１）の正方形の内環径、一辺（Ｘ１’＋２α）ｃｍの正方形の外環径を有する。
【００２６】
第２環状帯体２１−２は、その下端部である小径端部２３−２と、その上端部である大径端部２２−２の２つの開放端部を有する。大径端部２２−２は、一辺Ｘ２ｃｍの正方形の内環径、一辺（Ｘ２＋２α）ｃｍの正方形の外環径を有する。また、小径端部２３−２は、一辺Ｘ２’ｃｍ（Ｘ２’＜Ｘ２）の正方形の内環径、一辺（Ｘ２’＋２α）ｃｍの正方形の外環径を有する。
【００２７】
ここで、図３及び図４（ｂ）を併せて参照すると、第１環状帯体２１−１の大径端部２２−１の外環径は、第２環状帯体２１−２の大径端部２２−２の内環径よりも小さい。また、第１環状帯体２１−１の小径端部２３−１の外環径は、第２環状帯体２１−２の小径端部２３−２の内環径よりも小さい。故に、第１環状帯体２１−１の外側面に第２環状帯体２１−２の内側面を対向させるようにして、第２環状帯体２１−２の内部に第１環状帯体２１−１を収容可能である。
【００２８】
同様に、第３環状帯体２１−３の大径端部２２−３の内環径は、第２環状帯体２１−２の大径端部２２−２の外環径よりも大きい。また、第３環状帯体２１−３の小径端部２３−３の内環径は、第２環状帯体２１−２の小径端部２３−２の外環径よりも大きい。故に、第２環状帯体２１−２の外側面に第３環状帯体２１−３の内側面を対向させるようにして、第３環状帯体２１−３の内部に第２環状帯体２１−２を収容可能である。このように、順次、第ｋ環状帯体２１−ｋ（但し、ｋは、１，２…，ｘ−１）の外側面に第ｋ＋１環状帯体２１−（ｋ＋１）の内側面を対向させるようにして、第ｋ＋１環状帯体２１−（ｋ＋１）の内部に第ｋ環状帯体２１−ｋを収容可能である（収容状態）。
【００２９】
また、図４（ａ）を参照すると、第１環状帯体２１−１の大径端部２２−１の外環径は、第２環状帯体２１−２の小径端部２３−２の内環径よりも大きい。上記した第１環状帯体２１−１の外側面に第２環状帯体２１−２の内側面を対向させるようにして、第２環状帯体２１−２の内部に第１環状帯体２１−１を収容した状態（収容状態）から、第１環状帯体２１−１の大径端部２２−１へ向けて第２環状帯体２１−２の小径端部２３−２を近接させる方向へ第２環状帯体２１−２を移動させると、第１環状帯体２１−１の大径端部２２−１が第２環状帯体２１−２の内側面に当接し、もはやこれ以上移動できなくなる。つまり、第１環状帯体２１−１に第２環状帯体２１−２が締結され、摩擦力によって互いが固定される。
【００３０】
同様に、第３環状帯体２１−３の小径端部２３−３の内環径は、第２環状帯体２１−２の大径端部２２−２の外環径よりも小さい。故に、収容状態から、第２環状帯体２１−２の大径端部２２−２へ向けて第３環状帯体２１−３の小径端部２３−３を近接させる方向へ第３環状帯体２１−３を移動させると、第２環状帯体２１−２の大径端部２２−２が第３環状帯体２１−３の内側面に当接し、もはやこれ以上移動できなくなる。つまり、第２環状帯体２１−２に第３環状帯体２１−３が締結され、摩擦力によって互いが固定される。このように、順次、第ｋ環状帯体２１−ｋ（但し、ｋは、１，２…，ｘ−１）に第ｋ＋１環状帯体２１−（ｋ＋１）が締結されて、摩擦力によって互いが固定される（使用状態）。かかる状態において、環状帯体２１−１〜４の内部空間１ａに水などの液体を収容でき、使用に供されるのである。
【００３１】
なお、環状帯体２１−ｘの数が多いほど、大なる容量の液体を入れることができ得るが、一方で、収容状態の外寸は変化せず、コンパクトでありながら更に大なる容量の液体を入れることができるのである。
【００３２】
図４（ｂ）及び図５に示すように、収容状態において、下皿１０には環状帯体２１−１〜４を包囲するようにして、蓋体１１が嵌着されて組み合わせ可能である。蓋体１１は、下皿１０の折り返し１０ａを包囲するようにして、図示しない嵌め込み機構によって下皿１０に組み合わせられる。つまり、下皿１０及び蓋体１１を組み合わせて画定される内部閉空間に環状帯体２１−１〜４が収容されて、コンパクトに持ち運びが便利になるのである。図示しないが、適宜、蓋体１１には持ち運びの便宜のためのボールチェーンなどが取り付けられてもよい。
【００３３】
蓋体１１には、上記した内部閉空間の通気性を確保するための小貫通孔１１ａが設けられてもよい。また、図６に示すように、蓋体１１の内部裏面には、小区画１２が設けられており、その内部に内部閉空間の湿度を除去するための薬剤、芳香を与えるための薬剤、衛生を維持する薬剤などを収容できる。下皿１０及び蓋体１１を組み合わせた収容時、小区画１２は、第１環状帯体２１−１の内部に位置し（図４（ｂ）参照）、収容時の全容積を増やすことなく、薬剤による効用を与えることができる。
【００３４】
上記した実施例によれば、収容時、コンパクトでありながら一定容量以上の液体を入れることができ携帯に便利であって、しかも折り曲げなどの変形を部材に与えないから丈夫である。また、コップの使用時に液体を角部に沿って使用者の口に運ぶことが出来るから、使用に便利である。
【００３５】
次に、本考案の他の実施例による携帯用コップについて、図７及び８に示した。
【００３６】
特に、図７を参照すると、携帯用コップ１’の主要部は、空洞の内部空間１ａを有する円錐の一部である錐台である。すなわち、円錐の底面（大径端部）と平行に頂部近傍を切断した頂面（小径端部）を含む円錐台について、これを逆さにした形状である。小径端部である底部１ｂにはこれを閉塞するようにして丸い下皿１０’が取り付けられ、開口した大径端部である上部１ｃを介して、内部空間１ａに液体を収容できる。
【００３７】
下皿１０’は、円板の端部に沿って折り返しを与えた皿状体である。また、環状帯体２１’−ｘ（ｘ＝１，２，３…、ここではｘは４までの整数。好ましくは、Ｘは６以下の整数である。）は、円錐の一部を切り取った円錐台の側面から形成される環状の帯体である。収容時、第ｋ環状帯体２１’−ｋ（但し、ｋは、１，２…，ｘ−１）の外側面に第ｋ＋１環状帯体２１’−（ｋ＋１）の内側面を対向させるようにして、第ｋ＋１環状帯体２１’−（ｋ＋１）の内部に第ｋ環状帯体２１’−ｋを収容可能である。また、使用時、順次、第ｋ環状帯体２１’−ｋ（但し、ｋは、１，２…，ｘ−１）に第ｋ＋１環状帯体２１’−（ｋ＋１）が締結されて、摩擦力によって互いが固定される。詳細は、上記した実施例と同様であるため省略する。
【００３８】
上記した他の実施例によれば、環状帯体２１’−１〜４の端部に角部が無く、均一に環状帯体同士を締結できて、液体の漏れを確実に防止できるのである。
【００３９】
ここまで本考案による代表的実施例及びこれに基づく変形例について説明したが、本考案は必ずしもこれらに限定されるものではない。すなわち、当業者であれば、添付した実用新案請求の範囲を逸脱することなく、種々の代替実施例及び改変例を見出すことができるだろう。
【図１】
0003158692.tif 000003
【図２】
0003158692.tif 000004
【図３】
0003158692.tif 000005
【図５】
0003158692.tif 000006
【図７】
0003158692.tif 000007
【図８】
0003158692.tif 000008
【図４】
0003158692.tif 000009
【図６】
0003158692.tif 000010